(57)【要約】      （修正有）【課題】少ないガタ抑制部であっても、上下方向及び左右方向のガタを確実に抑制することが可能なコネクタを提供する。【解決手段】コネクタ１は、外套フード１２が設けられた雄コネクタと、コネクタハウジングと外套フード１２との間に挿入される嵌合フード２３を備えた雌コネクタと、外套フード１２の内周壁と、嵌合フード２３の外周壁とに設けられて雄コネクタと雌コネクタとのガタを抑制するガタ抑制リブ４１とを有する。ガタ抑制リブ４１は、外套フード１２の内周壁に設けられた第１のリブ４３と、嵌合フード２３の外周壁に設けられた第２のリブ４５とで形成され、第１のリブ４３は前記第２のリブ４５に対して雌雄のコネクタの嵌合状態で左右方向、上下方向に押圧する第１の斜面４３ａを有し、前記第２のリブ４５は第１の斜面４３ａと摺接し、左右方向、上下方向の力を受ける第２の斜面４５ａを有している。【選択図】図７
2010086869.tif 000002
【特許請求の範囲】
【請求項１】
電線端末の端子が収容されたコネクタハウジングの外側に外套フードが設けられた雄コネクタと、
前記端子と嵌合する相手端子が収容されたコネクタ本体に一体形成され、前記コネクタハウジングが挿入嵌合されると共に前記コネクタハウジングと前記外套フードとの間に挿入される嵌合フードを備えた雌コネクタと、
前記外套フードの内周壁と、前記嵌合フードの外周壁とに設けられて雄コネクタと雌コネクタとのガタを抑制するガタ抑制リブとを有するコネクタであって、
前記ガタ抑制リブは、前記外套フードの内周壁に設けられた第１のリブと、前記嵌合フードの外周壁に設けられた第２のリブとで形成され、
前記第１のリブは前記第２のリブに対して雌雄のコネクタの嵌合状態で左右方向、上下方向に押圧する第１の斜面を有し、前記第２のリブは前記第１の斜面と摺接し、左右方向、上下方向の力を受ける第２の斜面を有していることを特徴とするコネクタ。
【請求項２】
請求項１記載のコネクタであって、
前記ガタ抑制リブは、外套フードと嵌合フードの周方向の４箇所に設けられていることを特徴とするコネクタ。
【請求項３】
請求項１又は２記載のコネクタであって、
前記第１のリブは、三角錐形状で前記外套フードの内周壁から一体に突設され、前記第１の斜面が嵌合面側に向けて上り傾斜に形成され、
前記第２のリブは、嵌合フードの外周壁から一体に突設され、前記第２の斜面が嵌合面側に向けて下り傾斜に形成されていることを特徴とするコネクタ。
【発明の詳細な説明】
【技術分野】
【０００１】
本発明は、雄コネクタ及び雌コネクタを嵌合することにより形成されるコネクタに関する。
【背景技術】
【０００２】
雄コネクタ及び雌コネクタを嵌合させるコネクタにおいては、上下方向及び左右方向のガタを抑制する必要がある。特許文献１及び特許文献２には、ガタを抑制する機能を備えた従来のコネクタが記載されている。
【０００３】
図８は、これらの従来のコネクタ１００の概略を示すものであり、雌コネクタ１１０及び雄コネクタ（図示省略）によって形成されている。雌コネクタ１１０は端子収容室（図示省略）を備えたコネクタ本体１３０と、コネクタ本体１３０の周囲に間隔を有して設けられ、コネクタ本体１３０を囲む筒状の嵌合フード１４０とを備えている。コネクタ本体１３０の外周と嵌合フード１４０との間には、相手雄コネクタの外套フードが挿入される挿入空間１２０となっている。
【０００４】
上記コネクタ１００において、上下方向のガタを抑制するため、嵌合フード１４０の左右には、リブ１８０及び溝１９０からなるガタ抑制部２００が設けられている。雄コネクタの外套フードのリブ（図示省略）は、左右側面に突出するように形成され、このリブが嵌合する溝１９０は嵌合フード１４０内面における対応位置に形成されている。これらのリブ及び溝１９０は、相手雄コネクタの外套フード及び嵌合フード１４０の嵌合方向（紙面貫通方向）に沿って長く形成されている。リブ及び溝１９０が嵌合することにより、雌コネクタ１１０及び雄コネクタの左右方向のガタが抑制される。図８において、破線Ｇで示す部分が左右方向のガタ抑制部２００が設けられる箇所である。
【０００５】
上下方向のガタを抑制するガタ抑制部は、嵌合フード１４０の上下に設けられる。上下方向のガタ抑制部は、左右方向のガタ抑制部２００と同様に、嵌合フード１４０の嵌合方向に延びたリブ及び溝によって形成され、例えば、リブが相手雄コネクタの外套フードの上下面に、溝が嵌合フード１４０の上下の内面の対応位置に設けられる。図８において、破線Ｈで示す部分が上下方向のガタ抑制部が設けられる箇所であり、上下２箇所ずつ、計４箇所に設けられている。
【特許文献１】特開２００４−１３４１８７号公報
【特許文献２】特開２００６−１９１８７号公報
【発明の開示】
【発明が解決しようとする課題】
【０００６】
しかしながら、従来のコネクタでは、リブ及び溝からなるガタ抑制部が上下方向及び左右方向に設けられるため、ガタ抑制部の数が多くなり、雌コネクタ１１０及び雄コネクタの構造が複雑となっている。このため、成形用の金型が複雑になると共に管理寸法箇所も多くなり、コストアップとなっている。又、コネクタの組み付けの際には、全てのリブ及び溝が相互に嵌合する必要があるため、嵌合のための挿入力が大きくなる問題がある。
【０００７】
そこで、本発明は、少ないガタ抑制部であっても、上下方向及び左右方向のガタを確実に抑制することが可能なコネクタを提供することを目的とする。
【課題を解決するための手段】
【０００８】
請求項１記載の発明のコネクタは、 電線端末の端子が収容されたコネクタハウジングの外側に外套フードが設けられた雄コネクタと、前記端子と嵌合する相手端子が収容されたコネクタ本体に一体形成され、前記コネクタハウジングが挿入嵌合されると共に前記コネクタハウジングと前記外套フードとの間に挿入される嵌合フードを備えた雌コネクタと、前記外套フードの内周壁と、前記嵌合フードの外周壁とに設けられて雄コネクタと雌コネクタとのガタを抑制するガタ抑制リブとを有するコネクタであって、前記ガタ抑制リブは、前記外套フードの内周壁に設けられた第１のリブと、前記嵌合フードの外周壁に設けられた第２のリブとで形成され、前記第１のリブは前記第２のリブに対して雌雄のコネクタの嵌合状態で左右方向、上下方向に押圧する第１の斜面を有し、前記第２のリブは前記第１の斜面と摺接し、左右方向、上下方向の力を受ける第２の斜面を有していることを特徴とする。
【０００９】
請求項２記載の発明は、請求項１記載のコネクタであって、前記ガタ抑制リブは、外套フードと嵌合フードの周方向の４箇所に設けられていることを特徴とする。
【００１０】
請求項３記載の発明は、請求項１又は２記載のコネクタであって、前記第１のリブは、三角錐形状で前記外套フードの内周壁から一体に突設され、前記第１の斜面が嵌合面側に向けて上り傾斜に形成され、前記第２のリブは、嵌合フードの外周壁から一体に突設され、前記第２の斜面が嵌合面側に向けて下り傾斜に形成されていることを特徴とする。
【発明の効果】
【００１１】
本発明によれば、第１のリブ及び第２のリブによってガタ抑制リブを形成し、第１のリブに第１の斜面を形成する一方、第２のリブに第１の斜面と摺接する第２の斜面を形成して左右方向及び上下方向のガタを第１のリブ及び第２のリブによって抑制するため、ガタ抑制のための部材を少なくすることができる。このため、金型を簡素化でき、管理寸法箇所も少なくすることができる。
【発明を実施するための最良の形態】
【００１２】
図１は、本発明の一実施形態のコネクタを示す分解斜視図、  図２は、雄コネクタと雌コネクタとを示す斜視図、図３は、この実施形態に用いるガタ抑制リブを示す斜視図、図４は、ガタ抑制リブの組み合わせ状態を示す斜視図、図５は、コネクタの組み立てを示す斜視図、図６は、コネクタの組み立て状態を示す平面図、図７は、図６のＭ−Ｍ線断面図である。
【００１３】
この実施形態のコネクタ１は、雄コネクタ２と、雌コネクタ３とを備えている。雄コネクタ２及び雌コネクタ３は、いずれも合成樹脂を射出成形することにより形成されるものである。
【００１４】
雄コネクタ２は、コネクタハウジング１１と、コネクタハウジング１１を囲む扁平筒状の外套フード１２とを備えている。
【００１５】
雄コネクタ２のコネクタハウジング１１には、複数の電線８が挿入される。電線８は、端末部分に端子９が取り付けられていると共に、端子９と電線８との連結部分には防水栓５が設けられている。端子９はコネクタハウジング１１に形成された端子収容室６に収容される。防水栓５は、ゴム等の弾性体からなり、電線８の外面に密着することにより水の侵入を阻止する。
【００１６】
図２に示すように、雄コネクタ２の電線引き出し側には、電線８を個々に挿入するための電線挿入筒部１３が形成されている。電線挿入筒部１３は、外套フード１２の外端部から軸方向に沿って伸びている。また、雄コネクタ２の内部において、電線挿入筒部１３は、それぞれの端子収容室６と連通しており、電線８を電線挿入筒部１３に挿入することにより、電線端末部分の端子９が端子収容室６に収容される。
【００１７】
雄コネクタ２の外套フード１２は、コネクタハウジング１１と隙間を有した状態でコネクタハウジング１１を囲んでいる。外套フード１２とコネクタハウジング１１との間の隙間には、雌コネクタ３の嵌合フード２３が挿入される。この嵌合フード２３の挿入により雄コネクタ２と雌コネクタ３とが接続される。外套フード１２の外面（上面）には、レバー回動支軸２５が突出している。レバー回動支軸２５は、コネクタ２及び３の組み付けを行う際に、後述するレバー３１が係合するものである。
【００１８】
雌コネクタ３は、コネクタ本体２１と、嵌合フード２３とを備えている。コネクタ本体２１には、雄コネクタ２の端子収容室６と対応した端子収容室２２が形成されている。端子収容室２２には、電線８側の端子９に対応した相手端子（図示省略）が内部に配置されている。
【００１９】
嵌合フード２３は、雄コネクタ２側に位置するようにコネクタ本体２１に一体的に形成されている。嵌合フード２３は、扁平筒状となっており、その先端部分が雄コネクタ２のコネクタハウジング１１と外套フード１２との間に挿入される。この挿入により、雄コネクタ２の端子及び雌コネクタ３の相手端子が電気的に接続される。
【００２０】
嵌合フード２３の外面（上面）には、嵌合ピン２７が突出している。嵌合ピン２７は、コネクタ２及び３の組み付けを行う際に、後述するレバー３１が係合するものである。
【００２１】
図１に示すように、雄コネクタ２及び雌コネクタ３の間には、パッキン３７及びリテーナ３９が設けられている。リテーナ３９には、コネクタハウジング１１の端子収容室６に対応した隔室３９ａが形成されている。パッキン３７はリテーナ３９が差し込まれた状態でコネクタハウジング１１と外套フード１２との間の隙間に挿入されて防水を行う。
【００２２】
レバー３１は、上下一対のレバー壁３２が設けられたコ字形に形成されている。上下のレバー壁３２には、雄コネクタ２のレバー回動支軸２５が挿入される回動支持孔３３が形成されている。また、上下のレバー壁３２における回動支持孔３３の近接位置にはカム溝３４が形成されている。カム溝３４には、雌コネクタ３の嵌合ピン２７が係合する。このようなレバー３１は、レバー回動支軸２５を中心に回動操作することにより、カム溝３４が雌コネクタ３を雄コネクタ２の方向に引き寄せるため、コネクタ２、３の組み付けを行うことができる。
【００２３】
以上の本実施形態においては、ガタ抑制リブ４１が設けられるものである。ガタ抑制リブ４１は、雄コネクタ２の外套フード１２に設けられた第１のリブ４３と、雌コネクタ３の嵌合フード２３に設けられた第２のリブ４５とによって形成されている。
【００２４】
第１のリブ４３は、図２に示すように、外套フード１２の内周壁に一体に突設されることにより形成されている。本実施形態において、第１のリブ４３は外套フード１２の上側の内周壁に２箇所、下側の内周壁に２箇所設けられており、外套フード１２の全体としては４箇所に設けられている。これらの第１のリブ４３は、雌雄のコネクタ２、３の嵌合方向に沿って直線的に伸びている。
【００２５】
第２のリブ４５は、図２に示すように、嵌合フード２３の外周壁に一体的に突設されている。第２のリブ４５も雌雄のコネクタ２、３の嵌合方向に沿って直線的に伸びている。第２のリブ４５は、第１のリブ４３に対応して設けられるものであり、このため本実施形態では、嵌合フード２３の上側の外周壁に２箇所、下側の外周壁に２箇所設けられている。
【００２６】
次に、図３及び図４を参照して、ガタ抑制リブ４１について説明する。図３に示すように、外套フード１２側の第１のリブ４３においては、Ｄ１及びＤ２が外套フード１２の上側の内周壁に対となって設けられている。図示を省略するが、外套フード１２の下側の内周壁にも、対となっているＤ１及びＤ２の第１のリブ４３が設けられている。第１のリブ４３と対応した嵌合フード２３側の第２のリブ４５においては、Ｅ１及びＥ２が対となって設けられる。すなわち、対となっているＥ１及びＥ２の第２のリブ４５は、嵌合フード２３の上側の外周壁及び下側の外周壁に設けられるものである。
【００２７】
図３において、Ｄ１の第１のリブ４３にＥ１の第２のリブ４５が対応し、Ｄ２の第１のリブ４３にＥ２の第２のリブ４５が対応する。対応しているリブ４３、４５は、雌雄のコネクタ２、３が嵌合するときに相互に嵌合する。すなわち、Ｄ１の第１のリブ４３はＥ１の第２のリブ４５と嵌合し、Ｄ２の第１のリブ４３はＥ２の第２のリブ４５と嵌合する。
【００２８】
第１のリブ４３は、Ｄ１及びＤ２に示すように、嵌合方向に向かって先細り状となる三角錐形状に形成されている。第１のリブ４３は、第１の斜面４３ａ及び第１の斜面４３ａと対応した斜面４３ｂを有している。斜面４３ｂは、外套フード１２の内周壁と一体となるものであり、第１の斜面４３ａが外套フード１２の内周壁から露出する。第１の斜面４３ａが露出することにより、雌雄のコネクタ２、３が嵌合するときに第１の斜面４３ａが第２のリブ４５（後述する第２のリブ４５の第２の斜面４５ａ）と嵌合する。
【００２９】
対となっている第１のリブ４３においては、Ｄ１及びＤ２に示すように、左右対称形状に形成されている。すなわち、Ｄ１の第１のリブ４３においては、第１の斜面４３ａが雌雄のコネクタ２、３の嵌合面側に向けて上り傾斜に形成され、Ｄ２の第１のリブ４３においては、第１の斜面４３ａが嵌合面側に向けて下り傾斜に形成されている。
【００３０】
第２のリブ４５においては、第１のリブ４３の第１の斜面４３ａが嵌合する斜面４５ａ（第２の斜面４５ａ）が形成されている。第２の斜面４５ａは、第１のリブ４３における第１の斜面４３ａと対応するように嵌合方向に向かって先細りとなる三角形状となっている。Ｄ１の第１のリブ４３が嵌合するＥ１の第２のリブ４５においては、第２の斜面４５ａは嵌合面に向けて下り傾斜に形成されており、Ｄ２の第１のリブ４３が嵌合するＥ２の第２のリブ４５においては、第２の斜面４５ａは嵌合面に向けて上り傾斜に形成されている。すなわち、対となっている第２のリブ４５においては、Ｅ１及びＥ２に示すように、左右対称形状となるものである。
【００３１】
図４は、雌雄のコネクタ２、３を嵌合させる際における第１のリブ４３及び第２のリブ４５の動きを示している。嵌合当初においては、図４（Ａ）で示すように、第１のリブ４３における第１の斜面４３ａの先細りの先端部分が第２のリブ４５における第２の斜面４５ａと接し、この状態で雌雄のコネクタ２、３の嵌合が行われると、第１のリブ４３における第１の斜面４３ａが第２のリブ４５における第２の斜面４５ａに摺接する。図４に示すような構造では、雌雄のコネクタ２、３の嵌合方向が逆の場合には、第１のリブ４３及び第２のリブ４５が摺接することができない。このため、雌雄のコネクタ２、３の誤嵌合を防止することができる。
【００３２】
次に、図４〜図７により、雌雄のコネクタ２、３の嵌合作動を説明する。
【００３３】
図５に示すように、外套フード１２のレバー回動支軸２５をレバー３１の回動支持孔３３に挿入した状態で、レバー３１を雌コネクタ３側に回動させる。この回動により、雌コネクタ３の嵌合ピン２７がレバー３１のカム溝３４内に入り込む。さらに、レバー３１を同方向に回動させることにより、カム溝３４が嵌合ピン２７を介して雌コネクタ３を雄コネクタ２側に引き寄せるため、雌雄のコネクタ２、３の嵌合が行われる。図６は、雌雄のコネクタ２、３の嵌合が終了した状態を示している。
【００３４】
上述した雌雄のコネクタ２、３の嵌合に際しては、図４に示すように、第１のリブ４３における第１の斜面４３ａが第２のリブ４５における第２の斜面４５ａを摺接し、この摺接により、第１の斜面４３ａと第２の斜面４５ａとが重なり合った嵌合状態となる。
【００３５】
図７は、雌雄のコネクタ２、３の嵌合によって、第１のリブ４３及び第２のリブ４５が嵌合した状態を示しており、第１の斜面４３ａが第２の斜面４５ａと嵌合している。この嵌合状態においては、第１のリブ４３における第１の斜面４３ａは上下方向及び左右方向に押圧し、第２のリブ４５における第２の斜面４５ａは上下方向及び左右方向の力を受けるように作用する。
【００３６】
そして、このような斜面４３ａ、４５ａによる嵌合状態では、第１のリブ４３及び第２のリブ４５は、矢印Ｌ１、Ｌ２で示すように、反対方向への動きが抑制される。このため、矢印Ｍで示す左右の動きが抑制され、左右方向のガタを抑制することができる。また、斜面４３ａ、４５ａが重なり合うことにより、第１のリブ４３及び第２のリブ４５は上下方向への動きが抑制される。このため、矢印Ｎで示す上下の動きが抑制され、上下方向のガタを抑制することができる。
【００３７】
以上のような実施形態では、雄コネクタ２側に設けた第１のリブ４３及び雌コネクタ３に設けた第２のリブ４５における斜面４３ａ、４５ａで相互に重なり合って嵌合するため、上下方向及び左右方向のガタを良好に抑制することができる。このため、上下方向及び左右方向のガタを個々に抑制するリブ及び溝を雌雄のコネクタに対して上下及び左右に設ける必要がなく、ガタ抑制のための部材を少なくすることができる。これにより、金型を簡素化でき、管理寸法箇所も少なくすることができる。
【００３８】
また、第１のリブ４３における第１の斜面４３ａ及び第２のリブ４５における第２の斜面４５ａが三角錐形状に形成されているため、雌雄のコネクタ２、３の嵌合の際には、摺接時の荷重が小さくなる。このため、リブ及び溝のように雌雄のコネクタ２、３の嵌合の際に面同士がラップしながら挿入される構造に比べて挿入力を低減することができる。これにより、雌雄のコネクタ２、３の嵌合操作が容易となる。
【００３９】
本発明は、以上の実施形態に限定されることなく種々変形が可能である。例えば、第１のリブ４３及び第２のリブ４５からなるガタ抑制リブ４１は雌雄のコネクタ２、３の周方向の４箇所に設けることなく、周方向の対角線上における２箇所に設けることにより、上下方向及び左右方向のガタを抑制することができる。
【図面の簡単な説明】
【００４０】
【図１】本発明の一実施形態のコネクタを示す分解斜視図である。
【図２】雄コネクタと雌コネクタとを示す斜視図である。
【図３】本実施形態に用いるガタ抑制リブを示す斜視図である。
【図４】ガタ抑制リブの組み合わせ状態を示す斜視図である。
【図５】コネクタの組み立てを示す斜視図である。
【図６】コネクタの組み立て状態を示す平面図である。
【図７】図６のＭ−Ｍ線断面図である。
【図８】従来のガタ抑制構造を備えたコネクタの嵌合状態を示す断面図である。
【符号の説明】
【００４１】
１  コネクタ
２  雄コネクタ
３  雌コネクタ
１１  コネクタハウジング
１２  外套フード
２１  コネクタ本体
２３  嵌合フード
４１  ガタ抑制リブ
４３  第１のリブ
４３ａ  第１の斜面
４５  第２のリブ
４５ａ  第２の斜面
【図１】
2010086869.tif 000003
【図２】
2010086869.tif 000004
【図３】
2010086869.tif 000005
【図４】
2010086869.tif 000006
【図５】
2010086869.tif 000007
【図６】
2010086869.tif 000008
【図７】
2010086869.tif 000009
【図８】
2010086869.tif 000010